(57)【要約】    【課題】  対象物から粘着テープを容易に剥離するための摘み代を自動的に形成すると共に、粘着テープ引き出しの際に、粘着テープをスムーズに引き出すことが可能な粘着テープカッターを提供する。    【解決手段】  粘着テープ巻付体１３を回転可能に支持するテープ支持部１１と、テープ支持部１１に支持された粘着テープ巻付体１３から引き出された粘着テープ１２を切り取るカット部３０と、テープ支持部１１とカット部３０との間に配設され、粘着テープ１２の長手方向の縁部１２Ｅを所定幅で粘着面１２Ａ側に折り返してなる重合部１２Ｃを形成する重合部形成機構２０と、を備えてなる粘着テープカッター１である。【選択図】    図１
2006168983.tif 000002
【特許請求の範囲】
【請求項１】
片面に粘着面を有する粘着テープをロール状に巻いてなる粘着テープ巻付体を回転可能に支持するテープ支持部と、
前記テープ支持部に支持された粘着テープ巻付体から引き出された粘着テープを切り取るカット部と、
前記テープ支持部とカット部との間に配設され、前記粘着テープの長手方向の少なくとも一縁に、その縁部を所定幅で粘着面側に折り返してなる重合部を形成する重合部形成機構と、
を備え、
前記重合部形成機構は、
前記粘着テープ巻付体の粘着テープ巻き出し位置近傍に配設され、当該粘着テープの非粘着面を支持する第１の支持部材と、
前記第１の支持部材よりも下流側に配設され、前記粘着テープの縁部に所定の折り曲げ幅を残して当該粘着テープの粘着面を支持し、当該折り曲げ幅部分を折り曲げる折り曲げ部材と、
前記折り曲げ部材よりも下流側に配設され、前記粘着テープの当該折り曲げ部材によって折り曲げられた部分を鋭角に折り返す折り返し部材と、
前記折り返し部材と対向した位置に配設されると共に、前記粘着テープの非粘着面を支持し、前記折り返し部材によって折り返された部分を当該粘着テープの粘着面に押圧して貼り合せる貼り合せ部材と、
を備えてなる粘着テープカッター。
【請求項２】
前記貼り合せ部材よりも下流側に配設され、前記粘着テープの非粘着面を支持する第２の支持部材をさらに備えてなる請求項１記載の粘着テープカッター。
【請求項３】
前記折り曲げ部材の表面に凹凸を形成してなる請求項１または請求項２記載の粘着テープカッター。
【請求項４】
前記第１の支持部材、前記折り曲げ部材、前記貼り合せ部材は、前記粘着テープを上流側から下流側に誘導するよう回転可能に配設されたローラ部材からなる請求項１記載の粘着テープカッター。
【請求項５】
前記第２の支持部材は、前記粘着テープを上流側から下流側に誘導するよう回転可能に配設されたローラ部材からなる請求項２記載の粘着テープカッター。
【請求項６】
前記折り曲げ部材の、前記粘着テープの重合部が形成される側とは反対側の縁部が位置する側の端部に、当該粘着テープの位置を規制する規制部を設けた請求項１ないし請求項５のいずれか一項に記載の粘着テープカッター。
【請求項７】
前記折り曲げ部材の規制部と、前記折り返し部材の粘着テープの重合部が形成される側の縁部が当接する当接部との距離が、当該粘着テープ巻付体を形成している粘着テープの幅よりも短い請求項６記載の粘着テープカッター。
【請求項８】
前記第２の支持部材の、前記粘着テープの重合部が形成される側とは反対側の縁部が位置する側の端部に、当該粘着テープの位置を規制する規制部を設けた請求項１ないし請求項７のいずれか一項に記載の粘着テープカッター。
【請求項９】
前記第２の支持部材の規制部と、前記折り返し部材の粘着テープの重合部が形成される側の縁部が当接する当接部との距離が、当該粘着テープ巻付体を形成している粘着テープの幅よりも短い請求項８記載の粘着テープカッター。
【請求項１０】
前記折り返し部材は、前記粘着テープの当該折り曲げ部材によって折り曲げられた部分近傍のみを押圧可能な押圧部を備えてなる請求項１ないし請求項９のいずれか一項に記載の粘着テープカッター。
【請求項１１】
前記折り返し部材は、前記折り曲げ部材によって折り曲げられた粘着テープの非粘着面に当接し、当該粘着テープの折り曲げ角度がさらに鋭角になるように誘導する第１の折り曲げ誘導部材と、当該第１の折り曲げ誘導部材によって折り曲げられた粘着テープの折り曲げ角度が略１８０度になるように誘導する第２の折り曲げ誘導部と、を備えてなる請求項１ないし請求項１０のいずれか一項に記載の粘着テープカッター。
【請求項１２】
請求項１に記載の粘着テープカッター用粘着テープであって、
前記粘着テープカッターの重合部形成機構によって形成される重合部となるべき領域の近傍に、当該重合部に沿ってマーク用ラインが形成されてなる粘着テープカッター用粘着テープ。
【請求項１３】
前記マーク用ラインに、重合部の存在を告知するための記号、文字、絵の少なくとも一つが記載されてなる請求項１２記載の粘着テープカッター用粘着テープ。
【発明の詳細な説明】
【技術分野】
【０００１】
本発明は、粘着テープ巻付体から引き出される粘着テープの長手方向の側部に沿って、その側線を折り返して粘着面同士を重合させた非接着部を形成して、対象物に粘着テープを貼付した後、これを剥離する際に、剥離操作を容易に行えるようにした粘着テープカッターに関する。
【背景技術】
【０００２】
従来から、粘着テープは、布、セロハン、クラフト紙、ゴム、ポリ塩化ビニルなどの薄膜状の長尺な基材の片面に、ゴムまたは合成樹脂を主材とする粘着剤を塗布したものであり、通常、この粘着テープは、ロール状に巻かれて粘着テープ巻付体とされて流通している。そして、例えば、封筒や袋体、箱本体に対する蓋等の封緘など様々な接着用途に用いられている。
【０００３】
また、この様な粘着テープを使用する際には、粘着テープ巻付体から粘着テープを引き出して所望の長さで切断することになるが、このような作業を容易にするためにテープカッターが用いられている。テープカッターは粘着テープ巻付体を回転自在に支持するテープホルダと引き出された粘着テープを切断するカット部とを有しており、所望の長さに引き出した粘着テープを鋏やカッターナイフ等の道具を用いずに容易に切断して、接着対象物への貼り付けに供することができるようになっている。
【０００４】
ところで、様々な接着用途に供されている粘着テープではあるが、一時的な仮止めに用いられることが多く、この様な場合には、後に対象物から引き剥がされるか、あるいは切断されることになる。ここで、粘着テープは、その基材は薄く、また、基材の片面全体に粘着剤が塗布されているため、貼り付けられた粘着テープを対象物から引き剥がすのは面倒な作業であった。すなわち、対象物に対して接着面の全面が貼り付いた粘着テープを剥がす際には、粘着テープの外周縁部を爪等で捲り起こして摘み代を形成し、この摘み代を指先で摘んで引き剥がす必要があって、当該摘み代を捲り起こす作業は面倒で煩わしいものであった。
【０００５】
例えば、市販されている弁当や惣菜などは、通常、食品包装容器内に収容されて店頭に並べられているが、この食品包装容器本体に対する蓋体の止着や、ソースやドレッシングなどの調味料が封入された調味袋の食品包装容器外側への貼り付け等には、幅寸法が１０数ｍｍ程度の粘着テープが多用されている。このように粘着テープを用いて包装がなされた食品包装容器では、従来、前記粘着テープが全面に亘って食品包装容器に貼着されていたため、購入者が容器の蓋体を開封したり調味袋を取り外すにあたって、その剥離操作が非常に困難で煩わしいものとなっていた。
【０００６】
そこで、近年では、粘着テープの剥離操作を容易に行えるように、粘着テープの引き出し時に自動的に長手方向の側部に沿ってその縁部を折り返して粘着面同士を重合させて貼り合わせ、当該重合部を非接着の摘み部分として形成し得るようにした粘着テープカッターが紹介されている。（例えば、特許文献１及び２参照）。
【特許文献１】特開２００１−３０２０７８号公報
【特許文献２】特開２００４−３１５２０３号公報
【発明の開示】
【発明が解決しようとする課題】
【０００７】
しかしながら、特許文献１に記載された粘着テープカッターは、粘着テープの引き出し経路の上方に設けられ、当該経路を開閉自在に覆う開閉部材が、テープ支持部に最も近接する引き出しローラの回転軸を中心に揺動開閉される構成を備えているため、粘着テープの挿通経路をその全長に亘って大きく開放することができないという問題がある。このため、特に引き出しローラの下側に粘着テープを挿通するのが面倒な作業となる。また、引き出した粘着テープの側縁の折り曲げローラ部分を側方折りガイドとの間に折り曲げて挿入する作業も必要であり、この作業も甚だ面倒なものとなる。
【０００８】
また、特許文献２に記載された粘着テープカッターは、粘着テープの接着面側に配設される接着面側部材と、非接着面側に配設される非接着面側部材に、粘着テープを押圧接触させつつ前記両部材間に粘着テープを挿通して引き出すことにより、粘着テープの長手方向の少なくとも一側に、その側縁を所定幅で粘着面側に折り返して非接着部となる重合部を形成する構成となっている。したがって、粘着テープ引き出しの際に、粘着テープと接着面側部材との押圧接触により、粘着テープの接着面が接着面側部材に貼り付くことがあり、粘着テープを引き出し難くなり、粘着テープをスムーズに引き出せなくなる虞があった。
【０００９】
本発明は、このような従来の粘着テープカッターを改良することを課題とするものであり、粘着テープが貼り付けられた対象物から当該粘着テープの剥離を容易に行うための摘み代を自動的に形成することができると共に、粘着テープ引き出しの際に、粘着テープの接着面が、この接着面側に配設された部材に貼り付くことを防止し、粘着テープをスムーズに引き出すことが可能な粘着テープカッターを提供することを目的とする。
【課題を解決するための手段】
【００１０】
この目的を達成するため、本発明は、片面に粘着面を有する粘着テープをロール状に巻いてなる粘着テープ巻付体を回転可能に支持するテープ支持部と、前記テープ支持部に支持された粘着テープ巻付体から引き出された粘着テープを切り取るカット部と、前記テープ支持部とカット部との間に配設され、前記粘着テープの長手方向の少なくとも一縁に、その縁部を所定幅で粘着面側に折り返してなる重合部を形成する重合部形成機構と、を備え、前記重合部形成機構は、前記粘着テープ巻付体の粘着テープ巻き出し位置近傍に配設され、当該粘着テープの非粘着面を支持する第１の支持部材と、前記第１の支持部材よりも下流側に配設され、前記粘着テープの縁部に所定の折り曲げ幅を残して当該粘着テープの粘着面を支持し、当該折り曲げ幅部分を折り曲げる折り曲げ部材と、前記折り曲げ部材よりも下流側に配設され、前記粘着テープの当該折り曲げ部材によって折り曲げられた部分を鋭角に折り返す折り返し部材と、前記折り返し部材と対向した位置に配設されると共に、前記粘着テープの非粘着面を支持し、前記折り返し部材によって折り返された部分を当該粘着テープの粘着面に押圧して貼り合せる貼り合せ部材と、を備えてなる粘着テープカッターを提供するものである。
【００１１】
この構成を備えた粘着テープカッターは、テープ支持部に回転可能に支持された粘着テープ巻付体から引き出された粘着テープに前記重合部を形成する際に、折り曲げ部材が粘着テープの粘着面を支持する（接触する）が、この粘着テープカッターには、粘着テープを挟んで折り曲げ部材と対向した位置に、この粘着テープを当該折り曲げ部材に強く押圧するための部材（例えば、ローラなど）が配設されていないため、粘着テープの粘着面が当該折り曲げ部材の表面に強く接着されることがない。したがって、従来のように、粘着テープの粘着面が折り曲げ部材の表面に貼り付くことが防止される。また、第１の支持部材及び貼り合せ部材には、粘着テープの非粘着面が接触することになるため、粘着テープを粘着テープ巻付体から引き出す際に必用な力が小さくてすみ、粘着テープの引き出しをスムーズに行うことができる。
【００１２】
また、本発明にかかる粘着テープカッターは、前記貼り合せ部材よりも下流側に配設され、前記粘着テープの非粘着面を支持する第２の支持部材をさらに備えてなることができる。このように、第２の支持部材を設けることで、前記利点に加え、粘着テープをより安定した状態で、カット部に到達させることができる。
【００１３】
そしてまた、本発明にかかる粘着テープカッターは、前記折り曲げ部材の表面に凹凸を形成することができる。このような構成にすることで、粘着テープの粘着面が接触する折り曲げ部材の表面の面積（粘着面との接触面積）を小さくすることができる。したがって、粘着テープを粘着テープ巻付体から引き出す際に必用な力は、より一層小さくなり、粘着テープの引き出しをさらにスムーズに行うことができる。
【００１４】
前記第１の支持部材、前記折り曲げ部材、前記貼り合せ部材は、例えば、前記粘着テープを上流側から下流側に誘導するよう回転可能に配設されたローラ部材から構成することができる。また、前記第２の支持部材も、例えば、前記粘着テープを上流側から下流側に誘導するよう回転可能に配設されたローラ部材から構成することができる。
【００１５】
また、本発明にかかる粘着テープカッターは、前記折り曲げ部材の、前記粘着テープの重合部が形成される側とは反対側の縁部が位置する側の端部に、当該粘着テープの位置を規制する規制部を設けることもできる。このように規制部を設けることで、前記粘着テープの折り曲げをより安定して確実に行うことができる。
【００１６】
そしてまた、本発明にかかる粘着テープカッターは、前記折り曲げ部材の規制部と、前記折り返し部材の粘着テープの重合部が形成される側の縁部が当接する当接部との距離を、当該粘着テープ巻付体を形成している粘着テープの幅よりも短くなるよう形成することができる。このように構成することでも、前記粘着テープの折り曲げをより安定して確実に行うことができる。
【００１７】
さらにまた、本発明にかかる粘着テープカッターは、前記第２の支持部材の、前記粘着テープの重合部が形成される側とは反対側の縁部が位置する側の端部に、当該粘着テープの位置を規制する規制部を設けることもできる。このように構成することでも、前記粘着テープの折り曲げをより安定して確実に行うことができる。
【００１８】
そしてまた、前記第２の支持部材の規制部と、前記折り返し部材の粘着テープの重合部が形成される側の縁部が当接する当接部との距離を、当該粘着テープ巻付体を形成している粘着テープの幅よりも短くなるよう形成することができる。このように構成することでも、前記粘着テープの折り曲げをより安定して確実に行うことができる。
【００１９】
また、前記折り返し部材は、前記粘着テープの当該折り曲げ部材によって折り曲げられた部分近傍のみを押圧可能な押圧部を備えて構成してもよい。折り返し部材をこのように構成することで、折り返し部材の、粘着テープの粘着面と接触する面積を小さくすることができる。したがって、粘着テープを粘着テープ巻付体から引き出す際に必用な力は、より一層小さくなり、粘着テープの引き出しをさらにスムーズに行うことができる。
【００２０】
さらにまた、前記折り返し部材は、前記折り曲げ部材によって折り曲げられた粘着テープの非粘着面に当接し、当該粘着テープの折り曲げ角度がさらに鋭角になるように誘導する第１の折り曲げ誘導部材と、当該第１の折り曲げ誘導部材によって折り曲げられた粘着テープの折り曲げ角度が略１８０度になるように誘導する第２の折り曲げ誘導部と、を備えて構成することもできる。折り返し部材をこのように構成することで、粘着テープをより一層確実に安定して折り返すことができる。
【００２１】
また、本発明は、前述した粘着テープカッター用粘着テープであって、前記粘着テープカッターの重合部形成機構によって形成される重合部となるべき領域の近傍に、当該重合部に沿ってマーク用ラインが形成されてなる粘着テープカッター用粘着テープを提供するものである。
【００２２】
この構成を備えた粘着テープカッター用粘着テープは、対象物に貼着された際に、重合部の位置をマーク用ラインによって示すことができる。したがって、使用者は、対象物に貼着された粘着テープを剥離する際に、粘着テープを剥離するための摘み代（すなわち、重合部）を容易に見つけることができ、対象物から粘着テープを剥離する操作をより一層簡単に行うことができる。
【００２３】
また、前記マーク用ラインには、重合部の存在を告知するための記号、文字、絵の少なくとも一つを記載することができる。
【発明の効果】
【００２４】
本発明にかかる粘着テープカッターは、テープ支持部に回転可能に支持された粘着テープ巻付体から引き出された粘着テープに前記重合部を形成する際に、粘着テープの粘着面が重合部形成機構を構成する部品の表面に強く接着されることがなく、小さな力で粘着テープを粘着テープ巻付体から引き出すことができる。この結果、粘着テープの引き出しをスムーズに行うことができ、粘着テープを対象物に貼着する際の作業性を向上することができる。
【発明を実施するための最良の形態】
【００２５】
次に、本発明の好適な実施の形態にかかる粘着テープカッターについて図面を参照して説明する。なお、以下に記載される実施の形態は、本発明を説明するための例示であり、本発明をこれらの実施形態にのみ限定するものではない。したがって、本発明は、その要旨を逸脱しない限り、様々な形態で実施することができる。
【００２６】
図１は、本発明の好適な実施の形態にかかる粘着テープカッターの斜視図、図２は、図１に示す粘着テープカッターの左側面図、図３は、図１に示す粘着テープカッターの右側面図、図４は、図１に示す粘着テープカッターの平面図、図５は、図１に示す粘着テープカッターの正面図、図６は、図１に示す粘着テープカッターの背面図、図７は、図１に示す粘着テープカッターの底面図、図８及び図９は、図１に示す粘着テープカッターの重合部形成機構の一部を拡大して示す斜視図、図１０は、図２に示す粘着テープカッターに粘着テープ巻付体を装着した状態を示す図、図１１は、図４に示す粘着テープカッターに粘着テープ巻付体を装着した状態を示す図、図１２は、本発明の好適な実施の形態にかかる粘着テープカッターで使用される粘着テープの平面図である。
【００２７】
図１〜図１１に示すように、本実施の形態にかかる粘着テープカッター１は、テープ台１０と、テープ台１０の一端に配設されて粘着テープ巻付体１３を回転可能に支持するテープ支持部１１と、テープ台１０の他端に配設されたカット部３０と、テープ台１０のテープ支持部１１とカット部３０との間に配設された重合部形成機構２０と、を備えて構成されている。
【００２８】
本実施の形態にかかる粘着テープカッター１に装着される粘着テープ巻付体１３は、図１０に示すように、ロール芯１３Ａに、一方の面が粘着面１２Ａからなり、他方の面が非粘着面１２Ｂからなる粘着テープ１２をロール状に巻付けた構成を備えている。
【００２９】
粘着テープ１２は、図１２に示すように、粘着テープ１２の一縁部端からＬ1の距離を置いた位置に、幅Ｌ2のマーク用ライン１２Ｆが、粘着テープ１２の長手方向に沿って連続的に記載されている。なお、粘着テープ１２の一縁部端から、マーク用ライン１２Ｆまでの領域（距離Ｌ1までの領域）が、粘着テープ１２の縁部１２Ｅとなる。このマーク用ライン１２Ｆには、「はがせます」と記載されている。また、図１２に示す符号Ｌ3は、マーク用ライン１２Ｆから粘着テープ１２の前記一縁部端と反対側の端までの距離を示している。
【００３０】
この粘着テープ１２は、後に詳述する本実施の形態にかかる粘着テープカッター１によって、縁部１２Ｅが折り返しされて重合部１２Ｃ（図９及び図１１参照）が形成された際にマーク用ライン１２Ｆが、重合部１２Ｃに隣接するように形成されている。
【００３１】
テープ支持部１１は、粘着テープ巻付体１３のロール芯１３Ａが嵌着され、且つテープ台１０に対して回転可能に設けられた略円盤形状を備えている。このテープ支持部１１には、テープ台１０に対して着脱可能となっており、粘着テープ１２が引き出された際に、粘着面１２Ａが下方となるように、粘着テープ巻付体１３が装着されて、テープ台１０に装着される。
【００３２】
重合部形成機構２０は、粘着テープ巻付体１３の粘着テープ巻き出し位置近傍に回転可能に配設され、粘着テープ１２の非粘着面１２Ｂを支持する第１の支持ロール２１と、第１の支持ロール２１よりも下流側に回転可能に配設され、粘着テープ１２の縁部１２Ｅ（図１１及び図１２参照）に所定の折り曲げ幅を残して粘着テープ１２の粘着面１２Ａを支持し、この粘着テープ１２の縁部１２Ｅの折り曲げ幅部分を折り曲げる折り曲げロール２２と、折り曲げロール２２よりも下流側に配設され、粘着テープ１２の折り曲げロール２２によって折り曲げられた部分を鋭角に折り返す折り返し部材２３と、折り返し部材２３と対向した位置に回転可能に配設されると共に、粘着テープ１２の非粘着面１２Ｂを支持し、折り返し部材２３によって折り返された縁部１２Ｅを粘着テープ１２の粘着面１２Ａに押圧して貼り合せる貼り合せロール２４と、貼り合せロール２４よりも下流側に回転可能に配設され、粘着テープ１２の非粘着面１２Ｂを支持する第２の支持ロール２５と、を備えて構成されている。
【００３３】
第１の支持ロール２１は円筒形状を備え、その軸芯方向一端がテープ台１０の一方の側壁１０Ａに回転可能に取り付けられている。この第１の支持ロール２１の表面には、円周に沿って複数の溝２１Ａが形成されている。
【００３４】
折り曲げロール２２は、第１の支持ロール２１よりも直径が大きい円筒形状を備え、その軸芯方向の一端が、テープ台１０の側壁１０Ａ側に回転可能に取り付けられている。折り曲げロール２２の表面には、円周に沿って複数の溝２２Ａが形成されている。また、この折り曲げロール２２の反対側の端部には、フランジ２２Ｂが形成されている。このフランジ２２Ｂと、後に詳述する折り返し部材２３の粘着テープ１２の重合部１２Ｃ（図９及び図１１参照）が形成される側の縁部１２Ｅが当接する当接部２３Ａ（図４参照）との距離は、粘着テープ１２の幅よりも小さく設定されており、これによって、フランジ２２Ｂは、粘着テープ１２の位置をテープ台１０の側壁１０Ａ側に規制する規制部としての役割を果たしている。
【００３５】
折り返し部材２３は、上流側から順に、折り曲げロール２２で折り曲げられた粘着テープ１２の縁部１２Ｅの非粘着面１２Ｂに当接して、縁部１２Ｅの折り曲げ角度を保持する折り曲げ角度保持部２６と、折り曲げ角度保持部２６に連続して形成され、粘着テープ１２の縁部１２Ｅの折り曲げ角度が略１２０度に、つまり、粘着面１２Ａ側で略６０度の鋭角になるよう誘導する第１の折り曲げ誘導部材２７と、第１の折り曲げ誘導部材２７に連続して形成され、粘着テープ１２の縁部１２Ｅの非粘着面１２Ｂに接触して折り曲げ角度を略１８０度に折り返す第２の折り曲げ誘導部材２８と、を備えている。
【００３６】
折り曲げ角度保持部２６は、テープ台１０の側壁１０Ａから突出形成されており、この突出によって、特に図８に示すように、粘着テープ１２の縁部１２Ｅの非粘着面１２Ｂに当接するよう構成されている。
【００３７】
第１の折り曲げ誘導部材２７は、テープ台１０の側壁１０Ａに対し、上部側が下部側よりも突出したテーパ形状を備え、このテーパの角度に応じて粘着テープ１２の縁部１２Ｅの折り曲げ角度が決定される。（なお、前述したように、本実施の形態では、略１２０度程度）。
【００３８】
第２の折り曲げ誘導部材２８は、第１の折り曲げ誘導部材２７よりもさらに突出されており、テープ台１０の側壁１０Ａ側の粘着テープ１２の折り返された縁部１２Ｅが通過する部分は、詳述する貼り合せロール２４との隙間が狭くなるよう構成されている。この隙間の狭い部分は、粘着テープ１２の縁部１２Ｅの非粘着面１２Ｂに接触し、縁部１２Ｅを略１８０度に折り返す役割を果たしている。
【００３９】
貼り合せロール２４は、円筒形状を備え、その軸芯方向の一端がテープ台１０の側壁１０Ａに回転可能に取り付けられている。この貼り合せロール２４は、折り返し部材２３の第２の折り曲げ誘導部材２８と対向した下部近傍に配設されると共に、粘着テープ１２の非粘着面１２Ｂを支持し、折り返し部材２３によって折り返された粘着テープ１２の縁部１２Ｅを粘着面１２Ａに押圧して貼り合せる。
【００４０】
第２の支持ロール２５は、円筒形状を備え、その軸芯方向の一端がテープ台１０の側壁１０Ａに回転可能に取り付けられている。第２の支持ロール２５の表面には、円周に沿って複数の溝２５Ａが形成されている。また、第２の支持ロール２５の反対側の端部には、フランジ２５Ｂが形成されている。このフランジ２５Ｂと、折り返し部材２３の粘着テープ１２の重合部１２Ｃ（図９及び図１１参照）が形成される側の縁部が当接する当接部と２３Ａ（図４参照）との距離は、粘着テープ１２の幅よりも小さく設定されており、これによって、フランジ２５Ｂは、粘着テープ１２の位置を規制する規制部としての役割を果たしている。
【００４１】
カット部３０は、重合部１２Ｃが形成された粘着テープ１２の引き出し方向に対し、ほぼ直角に交わるように、テープ台１０に固定されている。
【００４２】
次に、本実施の形態にかかる粘着テープカッター１の具体的動作について説明する。
【００４３】
先ず、テープ支持部１１に、粘着テープ巻付体１３を装着し、この粘着テープ巻付体１３が装着されたテープ支持部１１をテープ台１０に取付ける。この時、粘着テープ１２が引き出された際に、粘着面１２Ａが下方となるように、テープ支持部１１をテープ台１０に取付ける。
【００４４】
次に、第１の支持ロール２１の上部に、粘着テープ１２の非粘着面１２Ｂが載置され、折り曲げロール２２の下部に、粘着テープ１２の粘着面１２Ａが位置し、折り返し部材２３と貼り合せロール２４との間に粘着テープ１２を挿入し、さらに第２の支持ロール２５の上部に、粘着テープ１２の非粘着面１２Ｂが載置され、テープ供給部材２９に至るように、粘着テープ１２をセットし、粘着テープ１２の引き出し方向先端が、カット部３０に至るようにする。
【００４５】
この状態で、粘着テープ１２を引き出すと、先ず、粘着テープ１２は、非粘着面１２Ｂが第１の支持ロール２１に接触し、折り曲げロール２２の下部に誘導される。この折り曲げロール２２では、フランジ２２Ｂによって、粘着テープ１２の側壁１０Ａ側の端部を係止し、粘着テープ１２の位置を規制する。この規制によって、粘着テープ１２の側壁１０Ａ側の縁部１２Ｅが、折り曲げロール２２の側壁１０Ａ側の端部から外れてフリーな状態となる。すなわち、この折り曲げロール２２は、粘着テープ１２の縁部１２Ｅに所定の折り曲げ幅を残して、粘着テープ１２の粘着面１２Ａを支持し、この折り曲げ幅部分を折り曲げることになる。（図８参照）
【００４６】
次に、折り曲げロール２２を経た粘着テープ１２は、縁部１２Ｅの非粘着面１２Ｂが折り返し部材２３の折り曲げ角度保持部２６に当接し、折り曲げロール２２で折り曲げられた縁部１２Ｅの折り曲げ角度が保持された状態で、第１の折り曲げ誘導部材２７に至る。次いで、この第１の折り曲げ誘導部材２７では、粘着テープ１２の縁部１２Ｅの折り曲げ角度が約１２０度程度となるように、粘着テープ１２の縁部１２Ｅをさらに折り曲げる。（図８参照）。
【００４７】
次に、この粘着テープ１２は、第２の折り曲げ誘導部材２８と、貼り合せロール２４との間に挿入され、粘着テープ１２の縁部１２Ｅを略１８０度に折り返し、この部分の粘着面１２Ａ同士を貼着して重合部１２Ｃを形成する。（図９参照）。
【００４８】
その後、重合部１２Ｃが形成された粘着テープ１２は、第２の支持ロール２５を経て、カット部３０に至る。
【００４９】
この粘着テープ１２の縁部１２Ｅに重合部１２Ｃを形成する一連の動作では、粘着テープ１２の粘着面１２Ａは、折り曲げロール２２の表面に接触することになるが、折り曲げロール２２の表面に形成された複数の溝２２Ａによって、粘着面１２Ａとの接触面積が小さくなるため、粘着テープ１２を粘着テープ巻付体１３から引き出す際に必用な力を削減することができる。また、粘着テープ１２を折り曲げロール２２に強く押圧するための部材（例えば、ローラなど）も配設されていない。したがって、粘着テープ１２の粘着面１２Ａが折り曲げロール２２の表面に強く接着されることがなく、粘着テープ１２の引き出しをスムーズに行うことができる。
【００５０】
重合部１２Ｃが形成された粘着テープ１２を所望の長さで引き出した後、カット部３０により粘着テープ１２を切断し、切断された粘着テープ１２を対象物に貼着する。
【００５１】
また、前述したように、この重合部１２Ｃは、粘着テープ１２を引き出す際に、自動的に形成することができる。
【００５２】
以上の工程によって、前記対象物には、重合部１２Ｃが形成された粘着テープ１２が貼着しているため、この重合部１２Ｃが、粘着テープ１２の剥離を容易にするための摘み代となり、前記対象物に貼着されている粘着テープ１２を、当該対象物から簡単に剥離することができる。また、この摘み代（すなわち、重合部１２Ｃ）の近傍には、マーク用ライン１２Ｆがあるため、摘み代の存在を簡単に知ることができ、結束解除操作をより一層簡単に行うことができる。
【図面の簡単な説明】
【００５３】
【図１】本発明の好適な実施の形態にかかる粘着テープカッターの斜視図である。
【図２】図１に示す粘着テープカッターの左側面図である。
【図３】図１に示す粘着テープカッターの右側面図である。
【図４】図１に示す粘着テープカッターの平面図である。
【図５】図１に示す粘着テープカッターの正面図である。
【図６】図１に示す粘着テープカッターの背面図である。
【図７】図１に示す粘着テープカッターの底面図である。
【図８】図１に示す粘着テープカッターの重合部形成機構の一部を拡大して示す斜視図である。
【図９】図１に示す粘着テープカッターの重合部形成機構の一部を拡大して示す斜視図である。
【図１０】図２に示す粘着テープカッターに粘着テープ巻付体を装着した状態を示す図である。
【図１１】図４に示す粘着テープカッターに粘着テープ巻付体を装着した状態を示す図である。
【図１２】本発明の好適な実施の形態にかかる粘着テープカッターで使用される粘着テープの平面図である。
【符号の説明】
【００５４】
１    粘着テープカッター
１１    テープ支持部
１２    粘着テープ
１２Ａ    粘着面
１２Ｂ    非粘着面
１２Ｃ    重合部
１２Ｅ    縁部
１３    粘着テープ巻付体
２０    重合部形成機構
２１    第１の支持ロール
２２    折り曲げロール
２３    折り返し部材
２４    貼り合せロール
２５    第２の支持ロール
３０    カット部
【図１】
2006168983.tif 000003
【図２】
2006168983.tif 000004
【図３】
2006168983.tif 000005
【図４】
2006168983.tif 000006
【図５】
2006168983.tif 000007
【図６】
2006168983.tif 000008
【図７】
2006168983.tif 000009
【図８】
2006168983.tif 000010
【図９】
2006168983.tif 000011
【図１０】
2006168983.tif 000012
【図１１】
2006168983.tif 000013
【図１２】
2006168983.tif 000014